(57)【要約】    【課題】  印刷有無の検知を行うために発生していた印刷範囲や背景印刷等の印刷内容についての制限を緩和又は排除する。    【解決手段】インクを用いて媒体に印刷するインク式印字方法において、顔料系インクで印刷する第1モードと、染料系インクで印刷する第２モードとを有し、印刷有無を検知したい内容は第１モードで印刷し、印字有無を検知させたくない内容は第２モードで印刷する。通帳印刷の場合、印字有無の検知やバーコードの読取りに悪影響を与えるような内容、例えば背景の地紋、罫線、項目名等は染料インクで印刷し、取引内容やバーコードは顔料インクで印刷する。    【選択図】  図１
2006007461.tif 000002
【特許請求の範囲】
【請求項１】
インクを用いて媒体に印刷するインク式印字装置において、
インクを吐出して印刷する印刷ヘッドと、光学的に印刷有無の検知が可能な特性を有するインクを収容した第１のインクタンクと、光学的に印刷有無の検知が困難なインクを収容した第２のインクタンクを有し、印刷有無を検知させたい内容データは該第１のインクタンクに収容したインクを該印刷ヘッドに供給して媒体に印刷し、印刷有無を検知させたくない内容データは、第２のインクタンクに収容したインクを該印刷ヘッドに供給して媒体に印刷することを特徴とする印字装置。
【請求項２】
前記第１のインクタンクには顔料系インクを収容し、第２のインクタンクには染料系インクを収容することを特徴とする請求項１の印字装置。
【請求項３】
インクジェット式の印字機構部にて通帳類に取引内容を印刷する通帳類取扱装置において、
該通帳に印刷された内容を光学的に検知して印字済み行を検知するイメージ読取機構部と、顔料系インクで印刷する第1の印刷手段と、染料系インクで印刷する第２の印刷手段と、を有し、
印刷有無を検知させたい内容は該第１の印刷手段で印刷し、印刷有無を検知させたくない内容データは、第２の印刷手段で印刷することを特徴とする通帳取扱装置。
【請求項４】
前記第１の印刷手段と第２の印刷手段は、共通の印刷ヘッドを備え、かつ該印刷ヘッドは通帳の搬送方向に対して直角方向へ移動しながら印刷動作を行い、
印刷有無を検知させたくない印刷内容の印刷を、印刷有無を検知させたい印刷内容の印刷より先に行うように該第１の印刷手段と第２の印刷手段を該印刷ヘッドに配置したことを特徴とする請求項３の通帳類取扱装置。
【請求項５】
インクを用いて媒体に印刷するインク式印字方法において、
顔料系インクで印刷する第1モードと、染料系インクで印刷する第２モードと、を有し、印刷有無を検知したい内容は該第１モードで印刷し、印字有無を検知させたくない内容は該第２モードで印刷することを特徴とするインク式印字方法。
【請求項６】
インクジェットにより通帳の表紙又は中紙に印刷する方法であり、背景の地紋、罫線、取引項目名については該第２モードで印刷し、取引内容やバーコードについては、該第１モードで印刷することを特徴とする請求項５記載の印刷方法。
【発明の詳細な説明】
【技術分野】
【０００１】
本発明は、印字装置に係り、特に現金自動取引装置や金融機関窓口等で使用される通帳類取扱装置において通帳の印刷に使用されるインクジェット式の通帳プリンタ装置及び印刷方法に関する。
【背景技術】
【０００２】
従来、現金自動取引装置や金融機関窓口等で使用される通帳プリンタ装置では、通帳の印刷済みの行を認識するために、通帳の印刷時に光学的なセンサで印刷の有無を検知する技術が知られている。このような印刷済み行の検知においては、印刷内容の背景がこの種の検知に影響を与えないように、印刷範囲や媒体の背景印刷等についての制限に配慮しておくが重要である。
例えば、印刷の有無検知の必要な範囲には背景印刷を行わないという制限を設けたり、通帳等の媒体の製作時に予め反射率の低いインクで背景を印刷することにより対処する案がある。
【０００３】
記録媒体の性質を考慮して使用されるインクの組成を変えて印刷するインクジェット記録に関する技術としては、例えば、特許文献１（特開平１１−１６４７号公報）には、記録媒体が普通紙か光沢層の紙かによって使用するインク組成物を変更する技術が開示されている。即ち、記録媒体が光沢層の紙の場合には、染料系のインク組成物で印刷し、普通紙の場合には、染料系のインク組成物と顔料系のインク組成物とを重ねて印刷する。
【０００４】
【特許文献１】特開平１１−１６４７号公報
【発明の開示】
【発明が解決しようとする課題】
【０００５】
しかしながら、上記特許文献１には、通帳プリンタ装置への適用するための具体的な例や示唆が示されていない。また、印刷の有無の検知を想定したインク組成物の利用法についても示唆されていない。
【０００６】
本発明の目的は、印刷有無を検知するための、印刷範囲や背景印刷等の印刷内容に関する制限を緩和或いは排除した印字装置を提供することにある。
本発明は、より具体的には、印刷有無の検知に対して特徴的な反応を呈するように複数の特性の異なるインクで印刷できるインク式印字装置を提供することにある。
【課題を解決するための手段】
【０００７】
本発明は、インクを用いて媒体に印刷するインク式印字装置において、インクを吐出して印刷する印刷ヘッドと、光学的に印刷有無の検知が可能な特性を有するインクを収容した第１のインクタンクと、光学的に印刷有無の検知が困難なインクを収容した第２のインクタンクを有し、印刷有無を検知させたい内容データは第１のインクタンクに収容したインクを印刷ヘッドに供給して媒体に印刷し、印刷有無を検知させたくない内容データは、第２のインクタンクに収容したインクを印刷ヘッドに供給して媒体に印刷する印字装置である。
好ましくは、前記第１のインクタンクには顔料系インクを収容し、第２のインクタンクには染料系インクを収容する。
【０００８】
また、好ましい例では、インクジェット式の印字機構部にて通帳類に取引内容を印刷する通帳類取扱装置において、通帳に印刷された内容を光学的に検知して印字済み行を検知するイメージ読取機構部と、顔料系インクで印刷する第1の印刷手段と、染料系インクで印刷する第２の印刷手段とを有し、印刷有無を検知させたい内容は第１の印刷手段で印刷し、印刷有無を検知させたくない内容データは、第２の印刷手段で印刷する。
【０００９】
本発明は、また、インクを用いて媒体に印刷するインク式印字方法において、
顔料系インクで印刷する第1モードと、染料系インクで印刷する第２モードと、を有し、印刷有無を検知したい内容は第１モードで印刷し、印字有無を検知させたくない内容は第２モードで印刷するインク式印字方法として把握される。
インクジェットにより通帳の表紙又は中紙に印刷する場合の例では、背景の地紋、罫線、取引項目名については第２モードで印刷し、取引内容やバーコードについては、第１モードで印刷する。
【発明の効果】
【００１０】
本発明によれば、印刷有無の検知に対して、通帳等の印刷媒体における印刷範囲や背景印刷等の印刷内容についての制限を緩和或いは排除することができる。とりわけ、印刷有無の検知に対して異なる特徴的な反応を呈するように複数の特性の異なるインクで印刷できるインク式印字装置を得ることができる。
【発明を実施するための最良の形態】
【００１１】
以下、図面を参照して本発明の一実施例について説明する。
本実施例に係るインクジェット式の通帳プリンタ装置は、印刷有無の検知手段に対して異なる反応を示す特性の違う複数のインクを搭載し、印刷内容の有無を正常に検知できるように、印刷内容によって複数のインクを使い分けて印刷を行うものである。
【００１２】
図１は、本発明の一実施例による通帳類取扱装置を示す図である。
図１において、通帳の挿入排出口１２には、複数の搬送ローラ２０が配置された主搬送路１６が連絡し、この主搬送路１６には、入口から順に、イメージ読取機構部１３、磁気ストライプ機構部１７、印字機構部１５、頁替機構部１８が配置される。また、副搬送路１６１を通して通帳ホッパ機構部１４が連結される。１９は制御回路を搭載した制御基板である。
ここで、印字機構部１５は、インクジェット式の印字機構であり、染料インクを収容した染料インクタンクを有する染料インク印刷ヘッド２２と、顔料インクを収容した顔料インクタンクを有する顔料インク印刷ヘッド２３を備える。
【００１３】
通帳ホッパ機構部１４には、新規発行用の新しい通帳１が収納され、制御装置（図示せず）からの発行指令に従って主搬送路へ繰出される。より具体的には形式が異なる２種の通帳１a,１ｂが閉じた状態で、ホッパ１４a、１４bにそれぞれ収納されている。これらの通帳は表紙及び中紙が無地の通帳であり、新規発行時に表紙及び中紙に必要な情報が印刷される。なお、通帳ホッパ機構部１４は、１種類の無地の通帳２１のみを収納するようにしてもよい。
【００１４】
このように、通帳ホッパ機構部１４に無地の通帳を収納しておき、通帳の発行時に、取引の種類や顧客の要望に応じて通帳表紙にいろいろなデザインを印刷することが可能である。このため従来のように、口座や取引科目に応じて、通帳製作時に予め表紙のデザインが印刷された通帳を何種類も通帳ホッパに収容しておく必要が無く、収納スペースを小型化でき、通帳の管理コストを低減することができる。
【００１５】
イメージ読取機構部１３は、通帳のバーコードや印字済み行を光学的に検知するイメージリーダを搭載する。頁替機構部１８はローラの回転により通帳の表紙及び中紙の頁をめくる。磁気ストライプ機構部１７は、通帳の表紙又は裏紙に設けられた磁気ストライプの読書きを行う。
【００１６】
次に、図２、図３を参照して通帳１の印刷項目について説明する。
通帳１の新規発行の場合、印字機構部１５で通帳の表紙１の印刷が行なわれる。
図２に示すように、表紙には口座番号８や口座名義１１が印刷される他に、表紙デザイン１０が印刷される。ここで、表紙デザイン１０は染料インク又は顔料インクで印刷する。写真印刷等で発色性を重視する場合は染料インクで印刷し、耐候性を重視する場合は顔料インクで印刷するというように使い分けることができる。また改ざん防止のため口座番号８や口座名義１１は顔料インク９で印刷することで信頼性を確保することができる。
【００１７】
新規発行時又は発行後には、中紙に取引データが印刷される。取引データの他に、中紙には、管理用のいろいろな項目が印刷される。
図３を参照するに、日付や金額等の取引内容６、及びバーコード２等は顔料インクで印刷する。イメージリーダ検知したい、このような内容については、顔料インクで印刷する。
一方、印字有無の検知やバーコードの読取りに悪影響を与えるような内容、例えば背景の地紋４、罫線５、項目名７等は染料インクで印刷する。イメージリーダで検知させたくない地紋４は、通帳製作時に予め印刷しておく必要を無くし、多種多様な地紋やその他の印刷を必要な時にその都度印刷することが可能となる。
【００１８】
図４の制御ブロック図において、無地の通帳に印刷を行うに際し、取引内容印字データ４１と、地紋等の背景印字データ４２は、制御装置４１で、合成編集される。合成編集された両データ４１、４２は、さらに画像展開されて、制御装置４２内のメモリに一次格納される。そしてこれらの画像データが顔料インク単色印刷データ４４か又は染料インク多色印刷データ４５かを判別して、それぞれ対応するヘッド、即ち顔料インク印刷ヘッド２３又は染料インク印刷ヘッド２２へ送られ、印刷が施される。
一例として、合成された１つの印刷画像データの印刷に関し、取引内容４１の印刷はイメージリーダによる印字済み行の検知を行いたいため、例えば黒の顔料インクを取引内容の印刷に割当て、地模様等の背景データの印刷はイメージリーダで検知させないようにするため、例えば黒以外の染料インクを地模様の印刷に割当てるように制御される。
【００１９】
図６に、印刷ヘッド２２，２３の配置例を示すように、それぞれ複数のノズル２６を有する顔料インク印刷ヘッド２３と染料インク印刷ヘッド２２は、用紙搬送方向bに対して垂直に並べて配置される。染料印刷ヘッド２２が２２a〜２２cと３種類在るのは３種ＣＭＹのカラー印刷のためである。
印刷ヘッド２２，２３の構造体は、ヘッド動作方向aへ移動しながら、取引内容印刷データ４１を単色の顔料インク４４で印刷する。また、背景印刷データ４２を複数色の染料インク４５で印刷する。このような構成によれば、低コストな印字機構で、顔料インクと染料インクを使い分けて印刷を行うことができる。
【００２０】
次に通帳の印刷について説明する。印刷としては、通帳発行時と、通常の取引内容データを印刷する時がある。
まず、通帳発行時の動作について説明する。
制御装置から通帳の発行指令が出ると、通帳ホッパ機構部１４に収納されていた通帳１（１a又は１b）は、閉じた状態で副搬送路１６１へ送り出される。通帳１は、主搬送路１６上を印字機構部１５へ搬送され、そこで通帳１の表紙へ印刷される。
【００２１】
表紙への印刷では、口座番号８や口座名義１１等の重要な情報は、顔料インクで印刷される。一例では、表紙のデザインも顔料インクで印刷する。また、他の例として、写真などのように発色性を重視する表紙デザインの場合には、そのデザインを染料インクで印刷する。表紙への印刷が終了すると、通帳１は頁替機構部１８へ搬送され、そこで表紙がめくられ、見返しの頁が開かれた状態になる。表紙がめくられた通帳１は、イメージ読取機構部１３へ搬送され、そこで、頁めくりが正常に行われたかを確認するために、バーコード２が光学的に検知される。
【００２２】
頁めくりが正常に行われた場合、通帳１は、印字機構部１５へ搬送され、そこで見返し頁に、支店名や支店電話番号、及び地紋やその他説明等が印刷される。この印刷では、支店名や支店電話番号等は顔料インク又は染料インクで印刷され、地紋やその他説明等は染料インクで印刷される。
見返し頁に印刷された後、通帳１は頁替機構部１８へ搬送され、そこで頁がめくられる。その後、通帳１はイメージ読取機構部１３へ搬送され、そこで頁めくりが正常に行われたかを確認するため、バーコード２が読取られる。
【００２３】
頁めくりが正常に行われた場合、通帳１は印字機構部１５へ搬送され、中紙に取引内容のデータが印刷される。この中紙への印刷では、図３に示すように、地紋は染料インクで印刷され、取引内容６やバーコード２は顔料インクで印刷される。
その後、通帳１は磁気ストライプ機構部１７へ搬送されて、そこで、口座番号や口座種別、印字済み行数等を含む磁気データが通帳１の磁気ストライプに書き込まれる。上記の一連の動作が終わると、通帳１は主搬送路１６を搬送されて、挿入排出口１２から排出される。
【００２４】
次に、通常の取引き時における記帳動作、即ち通帳１の中紙への記帳動作について説明する。
通帳１が挿入排出口１２から挿入されると、通帳１は主搬送路16上を搬送されて、イメージ読取機構部１３へ送られ、そこで中紙の日付け印字６（図３）がスキャンされ、印字済行が何行目かが検知される。
印字済み行が検地されると、通帳１は磁気ストライプ機構部１７へ搬送されて、通帳の磁気データ（既印字済み行データ含む）が読取られ、印字済み行のチェックが行われる。その後、通帳１は印字機構部１５へ送られて、そこで中紙に未印刷データとしてホストコンピュータに保持されていた取引内容データ、及び地紋等が印刷される。この場合、地紋は染料インクで印刷され、取引内容データ６や新たなバーコード２は顔料インクで印刷される。
【００２５】
１頁以内に未印刷取引きデータが印刷しきれない時には、通帳１は頁替機構部１８で新たな頁がめくられ、またイメージ読取機構部１３でバーコードが読み取られて、印字済み行のチェックを行い、印字機構部１５で、引き続き、取引内容データを中紙に印刷する。取引内容データの印刷が完了するまでこの動作を繰り返す。
【００２６】
印刷動作が終わると、磁気ストライプ機構部１７で、口座番号や口座種別、印字済み行数等を含む磁気データが通帳１の磁気ストライプへ書き込まれる。そして、一連の動作が終わると、通帳１は主搬送路１６を搬送して挿入排出口１２から排出される。
【００２７】
次に図５及び図７を参照して、他の実施例による印字装置を説明する。
図５のブロック図は、取引内容印字データ５１と、背景印字データ５２を印刷する例である。制御装置５３は、取引内容印字データ５１を顔料インク印刷データ５４として顔料インク印刷ヘッド２３に印加し、背景印字データ５２を染料インク印刷データ５５として染料インク印刷ヘッド２２へ与えるように制御する。
【００２８】
図５の例では、さらに、背景印字データ５２は、取引内容印字データ５１の印刷に先行して、染料インク印刷ヘッド２２で先に印刷される。このために印刷ヘッドの構造体は、図７に示すように、用紙の搬送方向bに対して手前側に染料インク印刷ヘッド２２（２２a〜２２d）が配置され、奥側に顔料インク印刷ヘッド２３（２３a〜２３d）が配置された印刷ヘッドである。ノズル２６からインク滴を噴射する。
このヘッドをヘッド動作方向aへ移動させながら、先に染料インク印刷ヘッド２２で、独立した地模様印刷データを印刷する。その後直ぐに染料インク印刷ヘッド２２で、取引内容のデータを印刷する。
【００２９】
この例によれば、制御装置５３では、背景印字データ５２と取引内容印刷データ５１を合成編集することなく、染料インク印刷ヘッド２２で背景印字データを印刷した後に、取引内容データ５１を顔料インク印刷ヘッド２３でそのまま印刷することができる。
【００３０】
上記実施例によれば、印刷有無を検知するために生じていた、通帳等の印刷媒体における印刷範囲や背景印刷等の印刷内容についての制限を緩和又は排除することができる。これにより、通帳の製作時に予め行っていた印刷を、必要な時に多様な印刷で行うことが可能となり、低コストで多種多様な通帳を発行できる。
【００３１】
以上、通帳プリンタ装置を例にして説明したが、本発明は通帳の印刷に限定されず、証書や有価証券等の媒体の印刷にも適用できる。
【図面の簡単な説明】
【００３２】
【図１】本発明の一実施例による通帳類取扱装置の構成を示す側面図。
【図２】通帳の表紙の印刷面の様子を示す図。
【図３】通帳の中紙の印刷面の様子を示す図。
【図４】一本実施例による通帳類取扱装置の印刷データの制御ブロック図。
【図５】他の実施例による通帳類取扱装置の印刷データの制御ブロック図。
【図６】一本実施例による印刷ヘッドの配置を示す図。
【図７】他の実施例による印刷ヘッドの配置を示す図。
【符号の説明】
【００３３】
１通帳、                      ２バーコード、
３顔料インクで印刷する内容、
４地紋、                      ５罫線、
６取引日付、                  ７項目名、
８口座番号、                  ９顔料インクで印刷する内容、
１０表紙デザイン、            １１口座名義、
１２挿入排出口、              １３イメージ読取機構部、
１４通帳ホッパ機構部、            １５印字機構部、
１６主搬送路、                    １７磁気ストライプ機構部、    
１８頁替機構部、              １９制御基板、
２０搬送ローラ、              ２２染料インク印刷ヘッド、
２３顔料インク印刷ヘッド、
【図１】
2006007461.tif 000003
【図２】
2006007461.tif 000004
【図３】
2006007461.tif 000005
【図４】
2006007461.tif 000006
【図５】
2006007461.tif 000007
【図６】
2006007461.tif 000008
【図７】
2006007461.tif 000009